(57)【要約】      （修正有）【課題】マニキュアを乾燥させるための取り外し可能なランプペンが備わったベースランプアセンブリを備えたネイルランプステーションを提供する。【解決手段】ネイルランプステーションは、ベースランプアセンブリと取り外し可能なランプペン２０とを備える。ベースランプアセンブリは、複数の手指の爪をその中に受け入れることができる光キャビティ１１０を有するステーションハウジング１１と、光キャビティ１１０内で同時に手指の爪にあるマニキュアを乾燥させるために光キャビティ１１０内に支持された第１の光源１２とを備える。取り外し可能なランプペン２０はステーションハウジング１１に取り外し可能に結合され、取り外し可能なランプペン２０は、細長いペン本体と１つの特定の手指の爪にあるマニキュアを乾燥させるためのペン本体の光端部に設けられた第２の光源とを備える。【選択図】図１
2020171683.tif 000002
【特許請求の範囲】
【請求項１】
ネイルランプステーションであって、
その中に１つ以上の手指の爪を受け入れることができる光キャビティを有するステーションハウジングと、前記光キャビティ内で同時に前記手指の爪にあるマニキュアを乾燥させるために前記光キャビティ内に支持された第１の光源とを備えたベースランプアセンブリと、
前記ステーションハウジングに取り外し可能に結合される取り外し可能なランプペンであって、細長いペン本体および１つの特定の手指の爪にあるマニキュアを乾燥させるために前記ペン本体の光端部に設けられた第２の光源を備えた取り外し可能なランプペンと、
を備える、ネイルランプステーション。
【請求項２】
前記ステーションハウジングは前記光キャビティを外部と連通させる開口部を有し、前記光キャビティ内で同時に手指の爪にあるマニキュアを選択的に乾燥させるか手指の爪に取り付けられる人工のネイルチップを硬化させるために前記光キャビティ内を照明するために前記ステーションハウジングにおいて前記第１の光源に電力が供給され、前記ベースランプアセンブリの前記ステーションハウジングはその上に設けられた保持区画をさらに有し、前記取り外し可能なランプペンは前記ステーションハウジングの前記保持区画に取り外し可能に結合され、前記細長いペン本体は前記保持区画内に保持されるように構成された形状およびサイズを有し、かつ前記第２の光源は電動であり、前記取り外し可能なランプペンは前記保持区画から取り外し可能であり、かつ１つの特定の手指の爪にあるマニキュアを選択的に乾燥させるか１つの特定の手指の爪に取り付けられる人工のネイルチップを硬化させるために１つの特定の手指の爪の特定の領域に向けて光を当てるために前記第２の光源はオンに切り換えられる、請求項１に記載のネイルランプステーション。
【請求項３】
前記保持区画は前記ステーションハウジングの側面に形成された開放したスロット構成を有し、かつ前記保持区画は直立側面および水平側面を有するため、前記ペン本体は前記保持区画の前記直立側面および前記水平側面のそれぞれによって案内および支持される、請求項２に記載のネイルランプステーション。
【請求項４】
前記ベースランプアセンブリは外部ＡＣ電源に電気的に接続するための前記第１の光源に電気的に接続された電源端子をさらに備え、前記取り外し可能なランプペンの電池は前記第２の光源に電気的に接続するために前記ペン本体内に支持された充電式電池であり、前記取り外し可能なランプペンは、前記外部ＡＣ電源から電力を供給するために前記電源端子に電気的に接続するために前記ステーションハウジングの前記保持区画に設けられた第１の充電端子と、その前記充電式電池に電気的に接続するために前記ペン本体に設けられ、かつ前記ペン本体が前記ステーションハウジングの前記保持区画に保持されている場合に前記充電式電池を充電するために前記第２の充電端子を前記第１の充電端子に電気的に接続させるように構成された第２の充電端子とをさらに備える、請求項２に記載のネイルランプステーション。
【請求項５】
前記充電式電池は、前記ペン本体が前記ステーションハウジングの前記保持区画に保持されている場合であって前記電源端子が前記外部ＡＣ電源と電気的に切断されている場合に、前記第１および第２の充電端子を通した前記第１の光源のための電源を形成する、請求項４に記載のネイルランプステーション。
【請求項６】
前記取り外し可能なランプペンは、前記第２の充電端子を前記第１の充電端子と自動的に位置合わせし、かつ前記取り外し可能なランプペンを前記ベースランプアセンブリの前記ステーションハウジングの前記保持区画の適所に保持するように案内するために前記ステーションハウジングの前記保持区画に設けられた第１の磁性部材と、前記第１の磁性部材に磁気で引きつけるために前記ペン本体に設けられた第２の磁性部材とをさらに備える、請求項２に記載のネイルランプステーション。
【請求項７】
前記取り外し可能なランプペンは、前記第２の充電端子を前記第１の充電端子と自動的に位置合わせし、かつ前記取り外し可能なランプペンを前記ベースランプアセンブリの前記ステーションハウジングの前記保持区画の適所に保持するように案内するために、前記ステーションハウジングの前記保持区画に設けられた第１の磁性部材と、前記第１の磁性部材に磁気で引きつけるために前記ペン本体に設けられた第２の磁性部材とをさらに備える、請求項２に記載のネイルランプステーション。
【請求項８】
前記取り外し可能なランプペンは、前記第２の充電端子を前記第１の充電端子と自動的に位置合わせし、かつ前記取り外し可能なランプペンを前記ベースランプアセンブリの前記ステーションハウジングの前記保持区画の適所に保持するように案内するために、前記ステーションハウジングの前記保持区画に設けられた第１の磁性部材と、前記第１の磁性部材に磁気で引きつけるために前記ペン本体に設けられた第２の磁性部材とをさらに備える、請求項４に記載のネイルランプステーション。
【請求項９】
前記取り外し可能なランプペンは、前記第２の充電端子を前記第１の充電端子と自動的に位置合わせし、かつ前記取り外し可能なランプペンを前記ベースランプアセンブリの前記ステーションハウジングの前記保持区画の適所に保持するように案内するために、前記ステーションハウジングの前記保持区画に設けられた第１の磁性部材と、前記第１の磁性部材に磁気で引きつけるために前記ペン本体に設けられた第２の磁性部材とをさらに備える、請求項５に記載のネイルランプステーション。
【請求項１０】
前記第１および第２の充電端子が互いから取り外されると前記第２の光源を自動的にオンに切り換え、かつ前記第１および第２の充電端子が互いに接触すると前記第２の光源を自動的にオフに切り換えるための起動手段をさらに備える、請求項４に記載のネイルランプステーション。
【請求項１１】
前記第１および第２の磁性部材が互いから取り外されると前記第２の光源を自動的にオンに切り換え、かつ前記第１および第２の磁性部材が互いに引きつけられると前記第２の光源を自動的にオフに切り換えための起動手段をさらに備える、請求項９に記載のネイルランプステーション。
【請求項１２】
前記第２の光源は前記ペン本体の前記光端部から集中的な光を生成するための単一の光点であり、かつ前記ペンの前記光端部は傾斜した表面を有する、請求項４に記載のネイルランプステーション。
【請求項１３】
前記第２の光源は前記ペン本体の前記光端部から集中的な光を生成するための単一の光点であり、かつ前記ペンの前記光端部は傾斜した表面を有する、請求項９に記載のネイルランプステーション。
【請求項１４】
前記ベースランプアセンブリは、前記起動センサが前記光キャビティ内で１つ以上の手指の爪の存在を検出した場合に前記第１の光源を自動的に起動するための前記第１の光源に電気的に接続された起動センサをさらに備える、請求項２に記載のネイルランプステーション。
【請求項１５】
前記ベースランプアセンブリは、前記起動センサが前記光キャビティ内で１つ以上の手指の爪の存在を検出した場合に前記第１の光源を自動的に起動するための前記第１の光源に電気的に接続された起動センサをさらに備える、請求項１２に記載のネイルランプステーション。
【請求項１６】
前記第１の光源は前記光キャビティの天井に設けられていると共に、前記光キャビティの底床は前記光キャビティ内で前記第１の光源からの光を反射させるためのミラー表面であり、前記起動センサは前記光キャビティの前記開口部に設けられている、請求項１３に記載のネイルランプステーション。
【請求項１７】
前記第１の光源は前記光キャビティの天井に設けられていると共に、前記光キャビティの底床は前記光キャビティ内で前記第１の光源からの光を反射させるためのミラー表面であり、前記起動センサは前記光キャビティの前記開口部に設けられている、請求項１４に記載のネイルランプステーション。
【請求項１８】
前記ベースランプアセンブリは、前記起動センサおよび前記第１の光源に電気的に接続された複数の固定点をさらに備え、前記起動センサが前記固定点の１つ以上にそれぞれ置かれ、かつそれらと位置合わせされている１つ以上の手指の爪を検出した場合に、前記第１の光源が起動されてオンに切り換えられ、前記光キャビティ内に光を与え、前記手指の爪の少なくとも１つが前記固定点の少なくとも１つのちょうど上で前記起動センサによって検出されている限り、前記第１の光源はオンに切り換えられたままであり、かつ前記起動センサが手指の爪が前記固定点の上に置かれていないことを検出すると前記第１の光源は自動的にオフに切り換わるように、前記固定点は前記光キャビティ内に設けられた硬化トレイ上に設けられている、請求項１３に記載のネイルランプステーション。
【請求項１９】
前記ベースランプアセンブリは、前記起動センサおよび前記第１の光源に電気的に接続された複数の固定点をさらに備え、前記起動センサが前記固定点の１つ以上にそれぞれ置かれ、かつそれらと位置合わせされている１つ以上の手指の爪を検出した場合に、前記第１の光源が起動されてオンに切り換えられ、前記光キャビティ内に光を与え、前記手指の爪の少なくとも１つが前記固定点の少なくとも１つのちょうど上で前記起動センサによって検出されている限り、前記第１の光源はオンに切り換えられたままであり、かつ前記起動センサが手指の爪が前記固定点の上に置かれていないことを検出すると前記第１の光源は自動的にオフに切り換わるように、前記固定点は前記光キャビティ内に設けられた硬化トレイ上に設けられている、請求項１４に記載のネイルランプステーション。
【発明の詳細な説明】
【技術分野】
【０００１】
本発明はネイルランプに関し、より詳細には、ユーザの手または足の複数の爪表面にあるマニキュアを乾燥させるためのベースランプアセンブリと、ユーザの手の指またはユーザの足の指の特定の爪表面にあるマニキュアを乾燥させるための取り外し可能なランプペンとを備えた２−ｉｎ−１ネイルランプステーションに関する。
【背景技術】
【０００２】
マニキュアを自身の手指の爪または足指の爪に塗布する個人の負担を軽減するための様々な方法が考案されてきた。特に複数のネイルコーティングは爪表面に順序正しく塗布される。例えばベースコート、１回以上のマニキュアコートおよび保護コートは爪表面に順序正しく塗布される。保護コートを爪表面に塗布する前に、宝石またはステッカーなどのネイルアクセサリーまたはデコレーションを爪表面に接着することができる。
【０００３】
これは重要なことであるが、全てのネイルコーティングは個々に乾燥しなければならない。特に爪表面にある各ネイルコーティングを乾燥するために、爪表面を通常はＬＥＤ光またはＵＶ光下に曝す。あるいは、マニキュアを手指の爪または足指の爪に直接塗布する代わりに、ユーザはプラスチックまたはジェルで作られた既成の爪をユーザの手または足の爪表面にそれぞれ接着し、次いでマニキュアを既成の爪表面に塗布する場合がある。
【０００４】
例えば、米国特許第８，５３４，２９９号は、ガラス、透明プラスチックまたは透明アクリルなどのＵＶ透過材料で作られた型部材によって作製され、かつ爪表面と既成のジェル爪との間の結合剤に既成のジェル爪を通して紫外線を当てることによって爪表面に取り付けるように構成された既成の爪を提案している。言い換えると、ＵＶ光は通常、既成の爪をユーザの爪表面に取り付けるためにも使用される。この発明の発明者は人工のネイルチップおよび硬化組成物セット（米国出願第１５／９１６，２１６号）も提案しており、これは、好ましくはＬＥＤ照明をちょうど３０秒間当てることによって爪表面に接着されるように構成された拡張ジェルおよびジェル−Ｘチップを開示している。
【０００５】
従来のネイルランプは一般に、光キャビティ内に支持された光源を備え、複数の爪表面を光キャビティ内の光源の下に置いて爪表面にあるネイルコーティングを同時に乾燥させることができる。言い換えると、従来のネイルランプは、ユーザが爪表面にあるベースコートを同時に乾燥させるなどの５つの爪表面にあるネイルコーティングを好都合に乾燥させるために比較的大きい領域を提供する。しかし、従来のネイルランプにはいくつかの欠点がある。従来のネイルランプは大きい乾燥領域を提供するので、光の強度を光キャビティ内で均等に分布させることができないため、湾曲した爪表面にあるネイルコーティングを同時に均等かつ完全に乾燥させることができない。特に、異なるマニキュアコーティングを異なる爪表面に塗布する場合、爪表面の曲率、コーティング厚さの違いおよび不均等な光の分布が原因で、マニキュアコーティングは不均等に乾燥される。さらに、ユーザが光の最も比較的均等な分布のために指を置き、かつ乾燥させる必要がある爪表面の特定のコーティング領域をピンポイントで狙うための最も適切な位置を決定することは難しい。例えば、ネイル宝石が爪表面に接着されている場合、ネイル宝石の周辺縁部を乾燥させてネイル宝石を爪表面に保持しなければならない。同様に、保護コートをネイル宝石に塗布した後に、従来のネイルランプは不規則な輪郭のネイル宝石と共にネイルコーティングを効率的に乾燥させることができない。従って、何人かのユーザは電池式フラッシュライトなどの独立した光源を使用して、ＵＶもしくはＬＥＤ照明を各指の爪表面の所望の領域に１つずつ当てることを試みる場合があるが、乾燥プロセスを完了するのに非常により多くの時間がかかる。また、ユーザがマニキュアコーティングを終了したがフラッシュライトの電池が切れていることに気づいたときは非常に落胆する。
【発明の概要】
【０００６】
本発明は、通常ベースランプアセンブリに結合され、ベースランプアセンブリによって充電され、かつユーザが独立して爪表面に照明を当てるためにベースランプアセンブリから取り外すことができる特定の爪表面にあるマニキュアを乾燥させるための取り外し可能なランプペンが備わった、複数の爪表面にあるマニキュアを乾燥させるためのベースランプアセンブリを備えた２−ｉｎ−１ステーションであるネイルランプステーションを提供するという点で有利である。
【０００７】
本発明の別の利点は、その最良の硬化および乾燥性能を保証するための光源の工場配置に従って好ましい照明曝露を受けるために、ユーザが爪表面を固定点にそれぞれ正確に配置するのを容易にする複数の固定点がベースランプアセンブリの照明キャビティ内の硬化トレイに設けられているネイルランプステーションを提供することにある。
【０００８】
本発明の別の利点は、ベースランプアセンブリの固定点の印が、手が硬化トレイの上に置かれ、かつ指を固定点に合わせた際に硬化および乾燥性能のために光が自動的に照明される起動センサに接続されている２−ｉｎ−１ネイルランプステーションを提供することにある。
【０００９】
本発明の別の利点は、ベースランプアセンブリに外部電源および内部電源によって選択的に電力供給することができ、内部電源が、ＡＣ電源がない場合であってもユーザがベースランプアセンブリをどこでも使用できるようにし、かつＡＣ電源などの外部電源がアダプタを介して使用される場合に充電することができる１つ以上の電池を含む２−ｉｎ−１ネイルランプステーションを提供することにある。
【００１０】
本発明の別の利点は、取り外し可能なランプペンがベースランプアセンブリに結合されている場合には自動的に充電され、かつベースランプアセンブリから取り外されている場合にはケーブルなしで操作されるネイルランプステーションを提供することにある。
【００１１】
本発明の別の利点は、格納および充電のために取り外し可能なランプペンを自動的に位置合わせするために、取り外し可能なランプペンがベースランプアセンブリに磁気結合されるネイルランプステーションを提供することにある。
【００１２】
本発明の別の利点は、取り外し可能なランプペンの光源が、爪表面の所望の乾燥領域をピンポイントで狙うために集中的な光を生成することができる単一の光点であるネイルランプステーションを提供することにある。
【００１３】
本発明の別の利点は、取り外し可能なランプペンの操作が、単に取り外し可能なランプペンの光端部を爪表面の方に向けるだけで容易であるネイルランプステーションを提供することにある。
【００１４】
本発明の別の利点は、複雑かつ高価な機械部品およびプロセスを必要としないため、本発明の製造コストを最小限に抑えることができるネイルランプステーションを提供することにある。
【００１５】
本発明の別の利点は、上記目的を達成するために高価かつ複雑な構造を本発明において用いることを必要としないネイルランプステーションを提供することにある。従って本発明は、爪表面にあるマニキュアを乾燥させるため、および／または爪表面にある人工のネイルチップの取り付け部分を硬化させるための２つの異なるランプ構成のために経済的かつ効率的な解決法を提供することに成功した。例えば、本発明は、爪表面にあるマニキュアを乾燥させるためにベースライトステーションおよび取り外し可能なライトペンを含む２つの異なるランプ構成を提供する。同様に本発明は、異なる爪表面処理のためにベースライトステーションおよび電気ネイルファイルを含む２つの異なるネイルケア構成を提供する。
【００１６】
本発明のさらなる利点および特徴は以下の説明から明らかになり、添付の特許請求の範囲に特に指摘されている手段および組み合わせによって実現することができる。
【００１７】
本発明によれば、上記および他の目的および利点は、
複数の手指の爪をその中に受け入れることができる光キャビティを有するステーションハウジングと、光キャビティ内で同時にマニキュアを乾燥させるため、または手指の爪にある人工のネイルチップを硬化させるために光キャビティ内に照明を与えるのに適したステーションハウジング内に支持された第１の光源とを備えるベースランプアセンブリと、
さらなるネイルケア機能を提供するためにステーションハウジングに取り外し可能に結合される取り外し可能なネイルケアツールと
を備えるネイルランプステーションによって達成される。
【００１８】
一実施形態では、手持ち式ネイルケアツールはステーションハウジングに取り外し可能に結合される取り外し可能なランプペンであってもよく、取り外し可能なランプペンは細長いペン本体と、１つの特定の手指の爪にあるマニキュアを乾燥させるためにペン本体の光端部に設けられた点光源とを備える。
【００１９】
別の実施形態では、手持ち式ネイルケアツールは、マニキュアを塗布し、ペディキュアを施し、形を整え、研磨し、角質を除去するためなどの、ステーションハウジングに取り外し可能に結合される電気ネイルファイルであってもよい。
【００２０】
なおさらなる目的および利点は、以下の説明および図面を考察することにより明らかになるであろう。
【００２１】
本発明のこれらおよび他の目的、特徴および利点は、以下の詳細な説明、添付の図面および添付の特許請求の範囲から明らかになるであろう。
【図面の簡単な説明】
【００２２】
【図１】本発明の好ましい実施形態に係る２−ｉｎ−１ネイルランプステーションの正面斜視図である。
【図２】本発明の好ましい実施形態に係る２−ｉｎ−１ネイルランプステーションの分解背面斜視図である。
【図３】本発明の好ましい実施形態に係る２−ｉｎ−１ネイルランプステーションのブロック図である。
【図４】本発明の好ましい実施形態に係る２−ｉｎ−１ネイルランプステーションの取り外し可能なランプペンの側面図である。
【図５】本発明の好ましい実施形態に係る２−ｉｎ−１ネイルランプステーションの手持ち式ネイルケアツールの他の形態を示す。
【発明を実施するための形態】
【００２３】
以下の説明は、当業者が本発明を作製および使用できるようにするために開示されている。好ましい実施形態は以下の説明において単に例として提供されており、修正形態は当業者に明らかであろう。以下の説明に定められている一般的な原理は、本発明の趣旨および範囲を逸脱することなく他の実施形態、変形形態、修正形態、均等物および応用物に適用される。
【００２４】
図面の図１〜図３を参照すると、本発明の好ましい実施形態に係るネイルランプステーションが図示されており、本発明のネイルランプステーションは、爪表面にあるマニキュアを乾燥させ、かつ／または爪表面に取り付けられる人工のネイルチップを硬化させるように構成されている。従って、本ネイルランプステーションはベースランプアセンブリ１０と手持ち式ネイルケアツール２０とを備えた２−ｉｎ−１ネイルランプステーションである。
【００２５】
好ましい実施形態によれば、ベースランプアセンブリ１０は、複数の手指の爪をその中に受け入れることができる光キャビティ１１０を有するステーションハウジング１１と、光キャビティ１１０内で同時に手指の爪にあるマニキュアを乾燥させるか手指の爪にそれぞれ取り付けられる人工のネイルチップを硬化させるなど、ユーザの爪表面を硬化させるために光キャビティ１１０内を照明するためにステーションハウジング１１内に支持された第１の光源１２とを備える。
【００２６】
好ましい実施形態によれば、手持ち式ネイルケアツールは手指の爪にさらなるネイルケアを提供するための電池式ツールである。一実施形態では、手持ち式ネイルケアツールは取り外し可能なランプペン２０である。
【００２７】
取り外し可能なランプペン２０は１つの指のためのランプとして具体化されている。取り外し可能なランプペン２０はステーションハウジング１１に取り外し可能に結合され、取り外し可能なランプペン２０は、細長いペン本体２１と、１つの特定の手指の爪にあるマニキュアを乾燥させるか手指の爪に取り付けられる人工のネイルチップを硬化させるなど、ユーザの爪表面を硬化させるためにペン本体２１の光端部に設けられた第２の光源２２とを備える。
【００２８】
従ってステーションハウジング１１はベースパネル１１１とベースパネル１１１に装着されたケーシング１１２とを備え、ケーシング１１２はベースパネルから上方に延在してその間に光キャビティ１１０を形成しており、ケーシング１１２は少なくとも周囲壁１１２１および上壁１１２２を有し、光キャビティ１１０は光キャビティ１１０を外部と連通させる周囲壁１１２１に形成された開口部１１３を有する。言い換えると、ユーザが自身の手指の爪を光キャビティ１１０内に置き、かつ自身の手指の爪を開口部１１３から光キャビティ１１０の外に引き出すことができるように、開口部１１３はケーシング１１２の周囲壁１１２１の前側に形成されており、光キャビティ１１０は開口部１１３を介して外部と連通している。開口部１１３は少なくとも２つ以上の手指の爪を光キャビティ１１０内に挿入するのに十分な程に大きい。
【００２９】
第１の光源１２は、光キャビティ１１０内を照明するための光を与えるためにケーシング１１２によって間隔を空けて支持された複数の第１の別個のライト１２１を備え、第１の光源１２は硬化可能な光を生成し、光キャビティ１１０内で手指の爪にあるマニキュアを乾燥させたり、光キャビティ１１０内で手指の爪にある人工のネイルチップを硬化させて取り付けたりする。特に第１の光源１２は、硬化可能な光をベースパネル１１１に向かって下方に放出させるために光キャビティ１１０の天井に支持されている。さらに、ベースパネル１１１によって形成された光キャビティ１１０の底床は好ましい実施形態によれば、光キャビティ１００内で第１の光源１２からの光を反射させるためのミラー表面であり、硬化させる手指の爪をその上に置くための硬化トレイとして機能する。好ましくは本発明の好ましい実施形態よれば、第１の光源１２は３０秒以内でジェルマニキュアおよびジェルネイルチップを硬化させるのに特に良好に機能するＬＥＤ光源である。あるいは、第１の光源１２はマニキュアおよび人工のネイルチップを通常通り数分で硬化させることができる従来のＵＶ光源であってもよい。
【００３０】
ベースランプアセンブリ１０は、外部ＡＣ電源に電気的に接続するために第１の光源１２に電気的に接続された電源端子１３１と、第１の光源１２をオンオフで切り換えるために第１の光源１２に動作可能に接続された電源スイッチ１３２とをさらに備える。
【００３１】
ベースランプアセンブリ１０は、起動センサ１４が光キャビティ１１０内で手または手指の爪などの物体の存在を検出した場合に第１の光源１２を自動的に起動させるために、第１の光源に電気的に接続された起動センサ１４をさらに備える。好ましくは、ユーザの手または手指の爪が開口部１１３から光キャビティ１１０に挿入された場合に、第１の光源１２が起動センサ１４によって自動的にオンに切り換えられるように、起動センサ１４はステーションハウジング１１の開口部１１３に隣接して位置している。手または手指の爪などの物体が開口部１１３から光キャビティ１１０を離れると、第１の光源１２は起動センサ１４によって自動的にオフに切り換えられる。これは重要なことであるが、第１の光源１２が電源スイッチ１３２によりオンに切り換えられている場合に、手指の爪の存在を検出するために起動センサ１４が起動される。
【００３２】
より良好な硬化処理を提供するために、手指の爪を第１の光源１２のＬＥＤライト１２１の分布に対して硬化トレイ１１４上の特定の位置に置くことが好ましい。また最良の結果および効率ために、ユーザが自身で両手の手指の爪にマニキュアを塗布するか人工のネイルチップを取り付ける場合は、第１の光源１２の自動でのオンへの切り換えは本発明によって提供される好ましい機能である。従ってベースランプアセンブリ１０は、起動センサ１４および第１の光源１２に電気的に接続された複数の固定点１３をさらに備える。起動センサ１４が、１つ以上の固定点１３にそれぞれ置かれて位置合わせされている１つ以上の手指の爪を検出した場合に、第１の光源１２は起動されてオンに切り換わり、光キャビティ１１０内に光を与え、第１の光源１２は少なくとも１つの手指の爪がちょうど対応する固定点１３上で検出されている限りオンに切り換えられたままであり、かつ起動センサ１４が全ての手指の爪が対応する固定点１３から取り除かれたことを検出したら第１の光源１２が自動的にオフに切り換わるか、あるいはベースランプアセンブリ１１に電力が供給され続けている間に手指の爪が固定点１３上で検出されない限り第１の光源１２はオフに切り換えられたままであるように、複数の固定点１３（少なくとも１つ、好ましくは５つ）が硬化トレイ１１４上に設けられている。あるいは、１つ以上の指が１つ以上の固定点１３に置かれ、かつタッチセンサに接触した場合に、第１の光源１２が自動的に起動されてオンに切り換わり、かつ１つ以上の指が固定点１３から取り除かれた場合に第１の光源１２が自動的に起動されてオフに切り換わるように、起動センサ１４は固定点１３にそれぞれ設けられた１つ以上のタッチセンサを備えていてもよい。従って、ユーザは特に一方の手を使用して第１の光源１２をオンおよびオフに切り換える必要はなく、固定点１３は、ユーザの爪表面にあるマニキュアを乾燥させるか人工のネイルチップを硬化させるための最良の硬化効果のために、第１の光源１２からの比較的より均等な照明を受けるように自身の手指の爪をそれぞれ提案された位置（すなわち固定点１３）の上に置くようにユーザを実質的に促して案内する。
【００３３】
上述のように、手または指などの物体が開口部１１３において検出された場合に第１の光源１２が起動されて光キャビティ１１０内を照明するためにオンに切り換わり、かつ物体が開口部１１３において検出されない場合にオフに切り換わるように、第１の光源１２に電気的に接続された起動センサ１４は単にケーシング１１２の開口部１１３に設けることができ、あるいは、物体が光キャビティ１１０内に置かれていることが検出された場合に第１の光源１２が起動されて光キャビティ１１０内を照明するためにオンに切り換わり、かつ物体が光キャビティ１１０内で検出されない場合にオフに切り換わるように、起動センサ１４を光キャビティ１１０内に設けることができるため、ユーザは第１の光源１２を手動でオンおよびオフに切り換える必要はない。従ってそのような形態では、固定点１３は、センサユニット１４に電気的に接続されていない硬化トレイ１１４上に設けられた単なる印であってもよい。
【００３４】
好ましい実施形態によれば、ベースランプアセンブリ１０は、その起動時間間隔を設定するための第１の光源１２に動作可能に接続されたタイマー回路１５１と、起動時間間隔を表示するためにステーションハウジング１１上に設けられたタイマー画面１５２とを備えたタイマーモジュール１５をさらに備える。好ましくは、時間間隔を設定するための時間間隔入力部として複数のタイマー設定部１５３がステーションハウジング１１上に設けられている。例えば、ユーザが起動時間間隔として３０秒を設定し、起動センサ１４が光キャビティ１１０内に手指の爪の存在を検出して第１の光源１２をオンに切り換えた場合、３０秒間の起動時間間隔後に、アラートを与えてユーザに硬化プロセスが完了したことを知らせて光キャビティ１１から手指の爪を取り除かせるか、あるいは過剰硬化を回避するために第１の光源１２を自動的にオフに切り換えてもよい。
【００３５】
好ましい実施形態によれば、ベースランプアセンブリ１０は、ステーションハウジング１１内に支持された充電式電池ユニット１７であって、ベースランプアセンブリ１０をユーザが電源を有しない他の場所で使用することができる携帯型装置にするのを可能にするために、ＡＣ外部電源が切断された場合に光キャビティ１１０内での照明のために第１の光源１２に電池電力を供給するために第１の光源１２に電気的に接続された充電式電池ユニット１７をさらに備えてもよい。充電式電池ユニット１７は、ＡＣ外部電源がベースランプアセンブリ１０に接続されている場合は常にＡＣ外部電源によって自動的に充電される。手指の爪硬化処理を完了するのに十分な電力供給を保証するためのタイムリーな充電動作のために、ステーションハウジング１１上に電池レベルライト１６１を設けてユーザに電池電力のレベルを示すことができる。
【００３６】
好ましい実施形態によれば、取り外し可能なランプペン２０は、ステーションハウジング１１の後方上面などのステーションハウジング１１に取り外し可能に結合される。図２に示すように、ステーションハウジング１１は、光キャビティ１１０の開口部１１３に対向する位置においてその上に形成された保持区画１６をさらに有するため、ペン本体２１はステーションハウジング１１の保持区画１６に保持される。特に、保持区画１６はステーションハウジング１１の上部ケーシング１１２の後方上面に形成されている。保持区画１６をケーシング１１２の上面または周囲側面に形成することもできることが理解される。当業者であれば、取り外し可能なランプペン２０のペン本体２１を保持するためにステーションハウジング１１に接続されたかそこから延在したドケットユニットとして保持区画を修正することもできる。保持区画１６はステーションハウジング１１上に設けられた特定の領域であってもよく、かつ取り外し可能なランプペン２０をその上に保持するように成形およびサイズ決めされている。
【００３７】
図２に示すように、好ましい実施形態によれば、Ｌ字形の断面を有する保持区画１６は、保持区画１６が取り外し可能なランプペン２０を受け入れるように成形およびサイズ決めされた開放したスロット構成を形成するように、ステーションハウジング１１の上部ケーシング１１２の後方上面に形成されている。開放したスロット構成を用いた場合、ユーザは、取り外し可能なランプペン２０を容易に保持区画１６に配置し、かつ／または取り外すことができる。保持区画１６は直立側面１６１および水平側面１６２を有するため、ペン本体は保持区画１６の直立側面１６１および水平側面１６２のそれぞれによって案内および支持される。好ましくは、取り外し可能なランプペン２０のペン本体２１は、その２つの周囲側面がそれに対応する保持区画１６の直立側面１６１および水平側面１６２のそれぞれに付勢された非円形断面を有する。
【００３８】
好ましい実施形態によれば、取り外し可能なランプペン２０は、ペン本体２１内に支持され、かつ第２の光源２２に電気的に接続された充電式電池２３と、その電気レベルを示すために充電式電池２３に電気的に接続されたペン本体２１に設けられた電池電力インジケータ２４とをさらに備える。従って、電池電力インジケータ２４が充電式電池２３の低い電池電力を示す場合、ユーザは取り外し可能なランプペン２０を再度操作する前に、充電式電池２３を外部充電器で、あるいは好ましくは保持区画１６に戻して置くことによりベースランプアセンブリ１０によって再充電しなければならない。
【００３９】
あるいは、取り外し可能なランプペン２０への電力供給のために、電気ケーブルを使用して取り外し可能なランプペン２０をベースランプアセンブリ１０に電気的に接続することができる。適用の利便性のために、無線の取り外し可能なランプペン２０が好ましい。
【００４０】
充電式電池２３を充電した場合、ユーザは、第２の光源２２をオンに切り換えて操作のために硬化可能な光を放出させることができる。言い換えると、ユーザは、ケーブルなしで取り外し可能なランプペン２０を操作することができる。ベースランプアセンブリ１０によって充電式電池２３を充電するために、取り外し可能なランプペン２０は、外部ＡＣ電源に電気的に接続するためにステーションハウジング１１に設けられた第１の充電端子２５１と、充電式電池２３に電気的に接続するためにペン本体２１に設けられた第２の充電端子２５２とをさらに備える。第２の端子２５２が第１の端子２５１と電気的に接触すると、充電式電池２３はベースランプアセンブリ１０に電気的に接続されたＡＣ外部電源によって、あるいはそれがＡＣ外部電源と切断されている場合はベースランプアセンブリ１０の充電式電池ユニット１７によって自動的に充電される。これは重要なことであるが、例えば充電式電池２３を充電するために電源スイッチ１３２をオンに切り換えなければならない。言い換えると、電源スイッチ１３２がオフに切り換えられている場合、第２の端子２５２が第１の端子２５１と電気的に接触しているとしても充電式電池２３は充電されない。
【００４１】
図２に示すように、第１の充電端子２５１が保持区画１６に設けられているため、ペン本体２１がステーションハウジング１１の保持区画１６に保持されている場合に充電式電池２３は充電される。特に、第１の充電端子２５１は保持区画１６の水平側面１６２に設けられており、第２の充電端子２５２はペン本体２１の周囲側面に設けられているため、ペン本体２１が保持区画１６の水平側面に置かれている場合、第２の端子２５２は第１の端子２５１と電気的に接触して外部電源または充電式電池ユニット１７によって充電式電池２３を充電する。
【００４２】
好ましい実施形態によれば、ペン本体２１がステーションハウジング１１の保持区画１６に保持されている場合であって電源端子１３１が外部ＡＣ電源と電気的に切断されている場合に、充電式電池２３も第１の光源１２のための電源を形成することが理解される。ベースランプアセンブリ１０に設けられた充電式電池ユニット１７が存在しないか充電式電池ユニット１７が空であり、ユーザがベースランプアセンブリ１０を接続するための外部ＡＣ電源を見つけることができない場合、第１の充電端子２５１と第２の充電端子２５２との電気接触により取り外し可能なランプペン２０の充電式電池２３によって第１の光源１２および第２の光源２２に電力供給することができるため、充電式電池２３はベースランプアセンブリ１０への二次もしくは追加電源となる。言い換えると、取り外し可能なランプペン２０がベースランプアセンブリ１０の保持区画１６に受け入れられている場合は、第１の光源１２の電源をオンにすることができる。取り外し可能なランプペン２０がベースランプアセンブリ１０の保持区画１６から取り外された場合は、第２の光源２２の電源をオンにすることができる。
【００４３】
さらに、取り外し可能なランプペン２０は、ベースランプアセンブリ１０の保持区画１６に保持する取り外し可能なランプペン２０を案内し、かつ第１の充電端子２５１を第２の充電端子２５２と電気的に接続するために第２の充電端子２５２を第１の充電端子２５１と自動的に位置合わせするために、ベースランプアセンブリ１０のステーションハウジング１１に設けられた少なくとも第１の磁性部材２６１と、第１の磁性部材２６に磁気で引きつけるためのペン本体２１に設けられた少なくとも第２の磁性部材２６２とをさらに備える。好ましい実施形態によれば、取り外し可能なランプペン２０の第２の磁性部材２６２を磁気で引きつけて、取り外し可能なランプペン２０を保持区画１６内の適所に保持すると共に第１の充電端子２５１および第２の充電端子２５２が互いに位置合わせされ、かつ電気接触した状態で保持されるように、第１の磁性部材２６１は保持区画１６の水平側面１６２に設けられている。
【００４４】
好ましくは、第１の充電端子２５１および第２の充電端子２５２は、第１の充電端子２５１および第２の充電端子２５２がそれぞれ２つの磁性部材であるように磁気的係合により互いに接触する。言い換えると、第１の磁性部材２６１および第２の磁性部材２６２は第１の充電端子２５１および第２の充電端子２５２と一体化されている。あるいは、第１の充電端子２５１および第２の充電端子２５２は、第１の磁性部材２６１および第２の磁性部材２６２としても機能するように磁性材料で作られている。
【００４５】
図３に示すように、ペン本体２１は細長い構造を有し、かつユーザがペン本体２１を人間工学的に保持することができるように多角形の断面を有する。ペン本体２１は、第２の光源２２と位置合わせするようにペン本体２１の光端部に形成された光窓２１１をさらに有する。
【００４６】
従って、第２の光源２２はペン本体２１の光端部から集中的な硬化可能な光を生成するための単一の光点である。同様に、第２の光源２２はＬＥＤ光源および／または代わりとしてＵＶ光源であることが好ましい。従って、取り外し可能なランプペン２０の第２の光源２２は、集中的な光を生成して、爪表面の乾燥領域または爪表面に取り付けられる人工のネイルチップの硬化領域をピンポイントで狙うことができる。言い換えると、ユーザは、単に取り外し可能なランプペン２０のペン本体２１の光端部を手指の爪の爪表面または人工のネイルチップの方に向けることによって、取り外し可能なランプペン２０を容易に操作することができる。
【００４７】
図３に示すように、ペン本体２０は、その光端部の対向側にスイッチ端部をさらに有し、スイッチボタン２５は第２の光源２２をオンオフで選択的に制御するためにペン本体２０のスイッチ端部に設けられている。好ましくは、ペン本体２０の光端部およびスイッチ端部は２つの傾斜した表面である。従ってユーザは、爪表面に対してある角度でペン本体２１を人間工学的に保持して、硬化可能な光を第２の光源２２から光窓２１１を通して爪表面の特定の領域に投射することができる。
【００４８】
いくつかの実施形態では、取り外し可能なランプペン２０にスイッチボタン２５が設けられていない場合もあるが、取り外し可能なランプペン２０を保持区画１６から取り外す、すなわち第１の充電端子２５１および第２の充電端子２５２を互いから取り外すか第１の磁性部材２６１および第２の磁性部材２６２を互いから取り外すと第２の光源２２を自動的にオンに切り換えるための起動手段２５’を有する。また起動手段２５’は、取り外し可能なランプペン２０を保持区画１６に保持する、すなわち第１の充電端子２５１および第２の充電端子２５２を互いに接触させるか第１の磁性部材２６１および第２の磁性部材２６２を互いに引きつけると第２の光源２２を自動的にオフに切り換えるようにも構成されている。
【００４９】
従ってユーザは、取り外し可能なランプペン２０をベースランプアセンブリ１０から取り外すことができる。移動性設計の取り外し可能なランプペン２０を用いて、ユーザは、手指の爪にあるマニキュアまたは手指の爪に取り付けられる人工のネイルチップを予め硬化させるために、ケーブルなしで取り外し可能なランプペン２０を操作することができる。特に爪表面にある不規則または異なるスカルプチュアのために、取り外し可能なランプペン２０からの光を爪表面の特定の領域をピンポイントで狙ってマニキュアまたは人工のネイルチップを予め硬化させることができる。次いでユーザは、手指の爪を光キャビティ１１０内に挿入してマニキュアまたは人工のネイルチップの取り付け部分を完全に硬化させることができる。
【００５０】
ベースランプアセンブリ１０は、爪の画像をキャプチャするためのカメラモジュール１７をさらに備える。カメラモジュール１７は、ステーションハウジング１１に設けられ、かつ電源端子１３１に電気的に接続された固定型カメラユニット１７１を備える。好ましくは、固定型カメラユニット１７１は、ユーザがマニキュアを乾燥させるために前方開口部から手指の爪を光キャビティ１１０内に挿入した場合に爪の画像をキャプチャするために光キャビティ１１０内に支持されている。一実施形態では、ビデオクリップを記録する固定型カメラユニット１７１によってビデオが撮影されるため、ユーザはビデオクリップを見ることができる。好ましくは、ビデオクリップをサーバにアップロードすることができるため、ユーザはサーバにアクセスしてビデオクリップを見ることができる。従って、固定型カメラユニット１７１は電源端子１３１に動作可能に接続されており、固定型カメラユニット１７１は、爪の画像をキャプチャしてマニキュアの爪乾燥状態を決定することができる。爪の画像の解析によりマニキュアを乾燥させたら、主光源１２は自動的にオフに切り換えられる。
【００５１】
またカメラモジュール１７は、単に取り外し可能なランプペン２０のペン本体２１の光端部を爪表面の方に向けた場合に爪の画像をキャプチャするためにペン本体２１の光端部に設けられ、かつ充電式電池２３に電気的に接続された携帯型カメラユニット１７２をさらに含む。同様に、ビデオクリップを記録する携帯型カメラユニット１７２によってビデオが撮影されるため、ユーザはビデオクリップを見ることができる。これは重要なことであるが、固定型カメラユニット１７１および携帯型カメラユニット１７２のそれぞれが爪の健康状態を解析するための臨床写真装置であってもよい。爪の画像をキャプチャしたら、ユーザは、爪の状態を見るために爪の画像をいつでも見ることができる。爪の画像を解析して、爪の陥凹、ばち状爪、スプーン爪などの爪の健康状態を決定するためのプログラムをサーバ内に設けることができる。言い換えると、取り外し可能なランプペン２０は、ユーザの爪の状態を決定するための携帯型爪解析装置も形成する。爪の状態の結果はユーザが爪の処理後に見直すために提供され、かつ／またはリアルタイムユーザ技術サポート情報および案内情報がユーザに提供される。
【００５２】
本発明のネイルステーションは、ベースランプアセンブリ１０および手持ち式ネイルケアツールに動作可能に接続された制御モジュール３０をさらに備える。従って制御モジュール３０は、その動作データを収集するためにベースランプアセンブリ１０および取り外し可能なランプペン２０に無線接続されている。ベースランプアセンブリ１０および取り外し可能なランプペン２０の使用時間、持続時間、ユーザＩＤ、電池電力および他の関連情報などの動作データは制御モジュール３０に無線送信される。一実施形態では、制御モジュール３０は、コンピュータまたはスマートフォンなどのユーザ電子装置にダウンロードしてインストールされるように構成されたアプリケーションまたはソフトウェアであってもよい。制御モジュール３０は、「ブルートゥース（登録商標）」、「Ｗｉ−Ｆｉ」、「４Ｇ」または「５Ｇ」などの無線接続を通してベースランプアセンブリ１０および取り外し可能なランプペン２０に無線接続することができる。例えば、起動センサ１４を起動して主光源１２をオンおよびオフに切り換える場合、動作データのうちの１つとしての主光源１２の起動信号は制御モジュール３０に無線送信される。別の動作データとしてのタイマーモジュール１５の時間間隔も制御モジュール３０に無線送信される。取り外し可能なランプペン２０のオンオフ信号が制御モジュール３０に無線送信される。動作データが制御モジュール３０に無線送信された後に、動作データは保存され、かつ使用レポートが制御モジュール３０によってユーザに生成される。ユーザは、電子装置を介して制御モジュール３０にログインしてベースランプアセンブリ１０および取り外し可能なランプペン２０の情報を見ることができる。
【００５３】
これは重要なことであるが、制御モジュール３０はカメラモジュール１７に無線接続されており、固定型カメラユニット１７１および携帯型カメラユニット１７２からの爪の画像は制御モジュール３０に無線送信され、かつ電子装置に保存される。従って、爪の状態の結果および／またはリアルタイムユーザ技術サポート情報および案内情報は電子装置を介してユーザに提供される。
【００５４】
図５は、ステーションハウジング１１に取り外し可能に結合される電気ネイルファイル２０Ａとして具体化されている手持ち式ネイルケアツールの他の形態を示し、電気ネイルファイル２０Ａは、細長いペン本体２１Ａと、爪表面処理のためにペン本体２１Ａの端部に設けられたファイルヘッド２２Ａとを備える。電気ネイルファイル２０Ａは、充電式電池２３Ａ、電池電力インジケータ２４Ａ、充電式電池２３Ａを充電するために第１の充電端子２５１に電気的に接触する第２の充電端子２５２Ａ、およびファイルヘッド２２Ａをオンおよびオフに切り換えるためのスイッチボタン２５Ａをさらに備える。従って、ファイルヘッド２２Ａは充電式電池２３Ａに電気的に接続されたモータ式ファイルヘッドであり、ファイルヘッド２２Ａは、マニキュアを塗布し、ペディキュアを施し、形を整え、研磨し、角質を除去するためなどにペン本体２１Ａの端部に取り外し可能に結合される複数の取り外し可能なヘッドユニットを含む。取り外し可能なヘッドユニットは爪ドリルビットおよび／または異なるナイロンホイールであってもよい。
【００５５】
さらに、手持ち式ネイルケアツールはステーションハウジング１１に取り外し可能に結合される電気エアブラシ塗布装置２０Ｂであってもよく、電気エアブラシ塗布装置２０Ｂは、細長いペン本体２１Ａおよびマニキュアを爪表面に塗布するためにペン本体２１Ｂの端部に設けられたエアブラシヘッド２２Ｂを備える。電気エアブラシ塗布装置２０Ｂは、充電式電池２３Ｂ、電池電力インジケータ２４Ｂ、充電式電池２３Ｂを充電するために第１の充電端子２５１と電気的に接触する第２の充電端子２５２Ｂ、およびエアブラシヘッド２２Ｂをオンおよびオフに切り換えるためのスイッチボタン２５Ｂをさらに備える。
【００５６】
当業者であれば、図面に図示され、かつ上に記載されている本発明の実施形態は単に例示であって、本発明を限定するものではないことを理解するであろう。
【００５７】
従って、本発明の目的は完全かつ効率的に達成されていることが分かるであろう。当該実施形態は本発明の機能および構造原理を示すために図示および記載されており、そのような原理から逸脱することなく変更される。従って、本発明は以下の特許請求の範囲の趣旨および範囲内に包含される全ての修正形態を含む。
【図１】
2020171683.tif 000003
【図２】
2020171683.tif 000004
【図３】
2020171683.tif 000005
【図４】
2020171683.tif 000006
【図５】
2020171683.tif 000007
【手続補正書】
【提出日】令和2年6月22日(2020.6.22)
【手続補正１】
【補正対象書類名】明細書
【補正対象項目名】００３２
【補正方法】変更
【補正の内容】
【００３２】
より良好な硬化処理を提供するために、手指の爪を第１の光源１２のＬＥＤライト１２１の分布に対して硬化トレイ１１４上の特定の位置に置くことが好ましい。また最良の結果および効率ために、ユーザが自身で両手の手指の爪にマニキュアを塗布するか人工のネイルチップを取り付ける場合は、第１の光源１２の自動でのオンへの切り換えは本発明によって提供される好ましい機能である。従ってベースランプアセンブリ１０は、起動センサ１４および第１の光源１２に電気的に接続された複数の固定点１３をさらに備える。起動センサ１４が、１つ以上の固定点１３にそれぞれ置かれて位置合わせされている１つ以上の手指の爪を検出した場合に、第１の光源１２は起動されてオンに切り換わり、光キャビティ１１０内に光を与え、第１の光源１２は少なくとも１つの手指の爪がちょうど対応する固定点１３上で検出されている限りオンに切り換えられたままであり、かつ起動センサ１４が全ての手指の爪が対応する固定点１３から取り除かれたことを検出したら第１の光源１２が自動的にオフに切り換わるか、あるいはベースランプアセンブリ１０に電力が供給され続けている間に手指の爪が固定点１３上で検出されない限り第１の光源１２はオフに切り換えられたままであるように、複数の固定点１３（少なくとも１つ、好ましくは５つ）が硬化トレイ１１４上に設けられている。あるいは、１つ以上の指が１つ以上の固定点１３に置かれ、かつタッチセンサに接触した場合に、第１の光源１２が自動的に起動されてオンに切り換わり、かつ１つ以上の指が固定点１３から取り除かれた場合に第１の光源１２が自動的に起動されてオフに切り換わるように、起動センサ１４は固定点１３にそれぞれ設けられた１つ以上のタッチセンサを備えていてもよい。従って、ユーザは特に一方の手を使用して第１の光源１２をオンおよびオフに切り換える必要はなく、固定点１３は、ユーザの爪表面にあるマニキュアを乾燥させるか人工のネイルチップを硬化させるための最良の硬化効果のために、第１の光源１２からの比較的より均等な照明を受けるように自身の手指の爪をそれぞれ提案された位置（すなわち固定点１３）の上に置くようにユーザを実質的に促して案内する。
【手続補正２】
【補正対象書類名】明細書
【補正対象項目名】００５０
【補正方法】変更
【補正の内容】
【００５０】
ベースランプアセンブリ１０は、爪の画像をキャプチャするためのカメラモジュール１７‘をさらに備える。カメラモジュール１７‘は、ステーションハウジング１１に設けられ、かつ電源端子１３１に電気的に接続された固定型カメラユニット１７１を備える。好ましくは、固定型カメラユニット１７１は、ユーザがマニキュアを乾燥させるために前方開口部から手指の爪を光キャビティ１１０内に挿入した場合に爪の画像をキャプチャするために光キャビティ１１０内に支持されている。一実施形態では、ビデオクリップを記録する固定型カメラユニット１７１によってビデオが撮影されるため、ユーザはビデオクリップを見ることができる。好ましくは、ビデオクリップをサーバにアップロードすることができるため、ユーザはサーバにアクセスしてビデオクリップを見ることができる。従って、固定型カメラユニット１７１は電源端子１３１に動作可能に接続されており、固定型カメラユニット１７１は、爪の画像をキャプチャしてマニキュアの爪乾燥状態を決定することができる。爪の画像の解析によりマニキュアを乾燥させたら、主光源１２は自動的にオフに切り換えられる。
【手続補正３】
【補正対象書類名】明細書
【補正対象項目名】００５１
【補正方法】変更
【補正の内容】
【００５１】
またカメラモジュール１７‘は、単に取り外し可能なランプペン２０のペン本体２１の光端部を爪表面の方に向けた場合に爪の画像をキャプチャするためにペン本体２１の光端部に設けられ、かつ充電式電池２３に電気的に接続された携帯型カメラユニット１７２をさらに含む。同様に、ビデオクリップを記録する携帯型カメラユニット１７２によってビデオが撮影されるため、ユーザはビデオクリップを見ることができる。これは重要なことであるが、固定型カメラユニット１７１および携帯型カメラユニット１７２のそれぞれが爪の健康状態を解析するための臨床写真装置であってもよい。爪の画像をキャプチャしたら、ユーザは、爪の状態を見るために爪の画像をいつでも見ることができる。爪の画像を解析して、爪の陥凹、ばち状爪、スプーン爪などの爪の健康状態を決定するためのプログラムをサーバ内に設けることができる。言い換えると、取り外し可能なランプペン２０は、ユーザの爪の状態を決定するための携帯型爪解析装置も形成する。爪の状態の結果はユーザが爪の処理後に見直すために提供され、かつ／またはリアルタイムユーザ技術サポート情報および案内情報がユーザに提供される。
【手続補正４】
【補正対象書類名】明細書
【補正対象項目名】００５３
【補正方法】変更
【補正の内容】
【００５３】
これは重要なことであるが、制御モジュール３０はカメラモジュール１７‘に無線接続されており、固定型カメラユニット１７１および携帯型カメラユニット１７２からの爪の画像は制御モジュール３０に無線送信され、かつ電子装置に保存される。従って、爪の状態の結果および／またはリアルタイムユーザ技術サポート情報および案内情報は電子装置を介してユーザに提供される。
【外国語明細書】
2020171683000001.pdf